(57)【要約】【課題】ピンなどの障害物付近で、メダル同士の重なりや、メダル詰まりを防止できるメダル遊戯機器を提供する。【解決手段】メダル遊戯機器は、上方から下方にメダル１９を落下させて遊戯するものであって、メダル１９を滑らす傾斜パネル１０と、傾斜パネル１０に設けられ、メダル１９と衝突することによってメダル１９の落下方向を変えるピン２２と、ピン２２の上方に設けられた半球状のプロジェクションピン２３とを備え、プロジェクションピン２３は、メダル１９がピン２２に衝突して跳ね返ったときに、メダル１９の減速を抑えることによって、メダル１９の移動を促進させ、また、メダル１９と傾斜パネル１０との接地面積を減少させて摩擦抵抗を減少させることによって、メダル１９の減速を最小限に抑え、メダル１９がピン２２付近に停滞することを防止する。【選択図】図３
2006055247.tif 000002
【特許請求の範囲】
【請求項１】
上方から下方にメダルを落下させて遊戯するメダル遊戯機器であって、
傾斜して又は垂直に設けられ、前記メダルを滑らすパネル部と、
前記パネル部に設けられ、前記メダルと衝突することによって前記メダルの落下方向を変える障害物と、
前記障害物の上方に設けられ、前記メダルが前記障害物付近に停滞することを防止する停滞防止部と、
を備えるメダル遊戯機器。
【請求項２】
請求項１に記載のメダル遊戯機器において、
前記停滞防止部は、前記メダルが前記障害物に衝突して跳ね返ったときに、前記メダルの減速を抑えることによって、前記メダルの移動を促進させること、
を特徴とするメダル遊戯機器。
【請求項３】
請求項１又は請求項２に記載のメダル遊戯機器において、
前記停滞防止部は、前記メダルと前記パネル部との接地面積を減少させて摩擦抵抗を減少させる凸及び／又は凹形状であること、
を特徴とするメダル遊戯機器。
【請求項４】
請求項３に記載のメダル遊戯機器において、
前記停滞防止部は、その表面が前記パネル部の表面に滑らかに続いていること、
を特徴とするメダル遊戯機器。
【請求項５】
請求項１から請求項４までのいずれか１項に記載のメダル遊戯機器において、
前記停滞防止部は、前記障害物の外形線と前記停滞防止部の外形線との最短距離が、前記メダルの直径よりも短くなる位置に設けられていること、
を特徴とするメダル遊戯機器。
【請求項６】
請求項１から請求項５までのいずれか１項に記載のメダル遊戯機器において、
前記停滞防止部は、前記障害物の上方の真上方向を基準としたときに、その基準の両側に、前記障害物を中心として±４５°の範囲に設けられていること、
を特徴とするメダル遊戯機器。
【請求項７】
請求項６に記載のメダル遊戯機器において、
前記停滞防止部は、前記障害物の上方の真上方向を基準としたときに、その基準からずらして設けられていること、
を特徴とするメダル遊戯機器。
【発明の詳細な説明】
【技術分野】
【０００１】
本発明は、上方から下方にメダルを落下させて遊戯するメダル遊戯機器に関するものである。
【背景技術】
【０００２】
従来、この種のメダル遊戯機器は、多数のピンが設けられたパネル上を、上方から下方にメダルを落下させ、所定のポイントや大当たりなどを狙って遊戯するものである（例えば、特許文献１）。
【０００３】
しかし、このメダル遊戯機器は、パネルを傾けて使用すると、メダルとパネルが面接触するので、ピンにメダルが衝突したときには、メダルの落下速度が低下し、ピン付近でメダルが止まりやすくなってしまうことがあった。
【０００４】
また、メダルの落下速度が著しく低下した場合には、ピン付近でメダルが停滞したり、次に落下してきたメダルと重なったりして、メダル詰まりの原因となることがあった。
【０００５】
一方、特許文献１のメダルゲーム機は、垂直なパネルを使用しており、上述した問題は、傾斜したパネルほど顕著には発生しないが、メダルを連続投入した場合などには、メダル詰まりが発生してしまうこともあった。
【特許文献１】特開２０００−１５３０５５号公報
【発明の開示】
【発明が解決しようとする課題】
【０００６】
本発明の課題は、ピンなどの障害物付近で、メダル同士の重なりや、メダル詰まりを防止できるメダル遊戯機器を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、上方から下方にメダル（１９）を落下させて遊戯するメダル遊戯機器であって、傾斜して又は垂直に設けられ、前記メダル（１９）を滑らすパネル部（１０）と、前記パネル部（１０）に設けられ、前記メダル（１９）と衝突することによって前記メダル（１９）の落下方向を変える障害物（２２）と、前記障害物（２２）の上方に設けられ、前記メダル（１９）が前記障害物（２２）付近に停滞することを防止する停滞防止部（２３）と、を備えるメダル遊戯機器である。
請求項２の発明は、請求項１に記載のメダル遊戯機器において、前記停滞防止部（２３）は、前記メダル（１９）が前記障害物（２２）に衝突して跳ね返ったときに、前記メダル（１９）の減速を抑えることによって、前記メダル（１９）の移動を促進させること、を特徴とするメダル遊戯機器である。
請求項３の発明は、請求項１又は請求項２に記載のメダル遊戯機器において、前記停滞防止部（２３）は、前記メダル（１９）と前記パネル部（１０）との接地面積を減少させて摩擦抵抗を減少させる凸及び／又は凹形状であること、を特徴とするメダル遊戯機器である。
請求項４の発明は、請求項３に記載のメダル遊戯機器において、前記停滞防止部（２３）は、その表面が前記パネル部（１０）の表面に滑らかに続いていること、を特徴とするメダル遊戯機器である。
請求項５の発明は、請求項１から請求項４までのいずれか１項に記載のメダル遊戯機器において、前記停滞防止部（２３）は、前記障害物（２２）の外形線と前記停滞防止部（２３）の外形線との最短距離が、前記メダル（１９）の直径よりも短くなる位置に設けられていること、を特徴とするメダル遊戯機器である。
請求項６の発明は、請求項１から請求項５までのいずれか１項に記載のメダル遊戯機器において、前記停滞防止部（２３）は、前記障害物（２２）の上方の真上方向を基準としたときに、その基準の両側に、前記障害物（２２）を中心として±４５°の範囲に設けられていること、を特徴とするメダル遊戯機器である。
請求項７の発明は、請求項６に記載のメダル遊戯機器において、前記停滞防止部（２３）は、前記障害物（２２）の上方の真上方向を基準としたときに、その基準からずらして設けられていること、を特徴とするメダル遊戯機器である。
【発明の効果】
【０００８】
本発明によれば、障害物の上方に停滞防止部を設けたので、障害物の上方にメダルが停滞することがなくなり、メダル同士の重なりや、メダル詰まりを防止できる。
【０００９】
また、停滞防止部は、メダルが障害物に衝突して跳ね返ったときに、メダルの移動を促進させるので、メダルがその場に停滞せず、次に落下してきたメダルと重なることもない。
【００１０】
さらに、停滞防止部は、メダルとパネル部との接地面積を減少させて摩擦抵抗を減少させる凸及び／又は凹形状であるので、摩擦抵抗が減少することによってメダルの減速を最小限に抑えることができ、それによって、メダルが素早く移動し、メダル詰まりをより防止できる。
【発明を実施するための最良の形態】
【００１１】
本発明は、ピンなどの障害物付近で、メダル同士の重なりや、メダル詰まりを防止できるメダル遊戯機器を提供するという目的を、傾斜パネルに設けられたピンの上方に、半球状のプロジェクションピンを設けることにより実現する。
【実施例】
【００１２】
以下、図面等を参照して、本発明の実施例について、さらに詳しく説明する。
図１は、本発明によるメダル遊戯機器の実施例を示す図である。
本実施例によるメダル遊戯機器１００は、傾斜パネル（パネル部）１０と、メダルプッシャー機構１１と、大当たり払い出し部１２と、小当たり払い出し部１３と、チャッカー１４と、液晶表示部１５と、ランプ１６と、ボーナスゲート１７と、メダル供給切替部１８と、メダル１９と、メダルガイド２０と、メダル落し口２１と、ピン（障害物）２２と、プロジェクションピン（停滞防止部）２３などとを備える。
【００１３】
傾斜パネル１０は、このメダル遊戯機器１００の中央に、かつ、傾斜して配置され、上方から下方にメダル１９を滑らすパネルである。
【００１４】
メダルプッシャー機構１１は、傾斜パネル１０の下部に配置され、一定の周期で前後に移動する上段のプッシャー台１１ａと、固定されて移動しない下段のプッシャー台１１ｂとを備える。
【００１５】
上段のプッシャー台１１ａが後退する場合には、上段のプッシャー台１１ａに滞留しているメダル１９は、傾斜パネル１０によって前面側に押し出されて下段のプッシャー台１１ｂに落下する。
上段のプッシャー台１１ａが前進する場合には、下段のプッシャー台１１ｂに滞留しているメダル１９は、上段のプッシャー台１１ａの前面によって前方に押し出されてメダル落し口２１に落下し、不図示のメダル払い出し口に払い出される。
【００１６】
大及び小当たり払い出し部１２、１３は、傾斜パネル１０の上部に配置され、入賞時にメダル１９を払い出す部分であり、大当たりに入賞した場合には、大当たり払い出し部１２が回転し、収容しているすべてのメダル１９を払い出し、また、小当たりに入賞した場合には、小当たり払い出し部１３が所定の枚数のメダル１９を払い出す。
【００１７】
チャッカー１４は、傾斜パネル１０の下部に固定され、上段のプッシャー台１１ａが前後に移動しても動かないものであって、入賞抽選の開始手段となるものであり、チャッカー１４の前面側には、メダル１９を飛び込ませるための孔１４ａが複数設けられている。
【００１８】
液晶表示部１５は、傾斜パネル１０の中央下部に配置され、入賞抽選やボーナスゲームの画面を表示するものであり、孔１４ａにメダル１９が飛び込んだ場合には、入賞抽選のためのスロットが回転し、また、ボーナスゲームに突入すると、モンスターを退治するための画面が表示される。
【００１９】
ランプ１６は、メダルプッシャー機構１１の左側に設けられ、点灯や点滅によって視覚的な演出を行う部分であり、例えば、ボーナスゲームの進行具合などを表示する。
【００２０】
ボーナスゲート１７は、液晶表示部１５の上方に配置されたゲートであり、小当たり払い出し時には、メダル１枚分の隙間を開放し、この隙間にメダル１９が入ると、ボーナスゲームに突入する。ボーナスゲームをクリアすると、選択した獲得品を得ることができる。
【００２１】
メダル供給切替部１８は、傾斜パネル１０の上方に配置され、不図示のメダル送り機構から送られてくるメダル１９を供給する経路であり、大当たり払い出し経路１８ａと、小当たり払い出し経路１８ｂとに２分岐されている。
２分岐の分岐点には、切替器が設置され、大当たりの払い出し時には、大当たり払い出し経路１８ａに、小当たりの払い出し時には、小当たり払い出し経路１８ｂに経路が切替られる。
【００２２】
メダル１９は、傾斜パネル１０上を滑り落ちるものであり、その直径は、２１．０〜３０．０ｍｍ程度、厚みは、１．６〜２．３ｍｍ程度のものである。
【００２３】
メダルガイド２０は、不図示のメダル投入口に繋がるものであり、その先端が上段のプッシャー台１１ａの上まで達している。
不図示のメダル投入口よりメダル１９を投入すると、メダル１９は、メダルガイド２０を経由して上段のプッシャー台１１ａの上に転がっていく。
上段のプッシャー台１１ａが前後動している適当なタイミングでメダル１９を投入すると、チャッカー１４の孔１４ａにメダル１９を飛び込ませることができ、孔１４ａに飛び込まなかったメダル１９は、上段のプッシャー台１１ａや下段のプッシャー台１１ｂの上に載る。
【００２４】
メダル落し口２１は、下段のプッシャー台１１ｂの前面側に配置され、下段のプッシャー台１１ｂの前方から落下したメダル１９を回収する部分であり、落下したメダル１９は、不図示のメダル払い出し口から払い出される。
【００２５】
ピン２２は、傾斜パネル１０上に多数設けられ、メダル１９と衝突することによってメダル１９の落下方向を変えるものである。
【００２６】
プロジェクションピン２３は、各ピン２２の上方に配置され、メダル１９がピン２２付近に停滞することを防止するものであり、また、メダル１９がピン２２に衝突して跳ね返ったときに、メダル１９の減速を抑えることによって、メダル１９の移動を促進させるものである。
【００２７】
ここで、図２を用いて、プロジェクションピン２３について詳しく説明する。
図２は、プロジェクションピンの詳細を示す図である。
プロジェクションピン２３は、図２（Ａ）に示すように、円柱状の埋め込み部２３ａと、半球状（球の一部分）の突起部２３ｂとを備え、具体的には、全長ｈ＝３．５ｍｍ、突起部２３ｂの長さｈ１＝０．５ｍｍ、突起部２３ｂの球の半径ＳＲ＝３．０ｍｍ、埋め込み部２３ａの直径φ＝４．０ｍｍのステンレス鋼であり、埋め込み部２３ａが傾斜パネル１０に埋め込まれ、実際には、突起部２３ｂのみが表出する。
また、突起部２３ｂの長さｈ１は、０．５〜１ｍｍ程度が好ましい。その理由は、０．５ｍｍよりも短いと、メダル１９に対して有効に作用しづらくなるからであり、１．０ｍｍよりも長いと、摩擦抵抗が大きくなりすぎて、メダル１９が引っ掛かってしまうからである。
【００２８】
プロジェクションピン２３の形状は、凸形状のものであり、その形状は、本実施例では、図２（Ｂ）に示すように、断面が半円状（ドーム状）のものであるが、例えば、図２（Ｃ）に示すように、断面が三角形（円錐状）のものであってもよい。
これらの形状であれば、中央部分から裾部分に進むにつれ、緩やかに厚みが減少し、プロジェクションピン２３の表面が、傾斜パネル１０の表面に滑らかに（連続的に）続いているので、メダル１９の落下も滑らかとなる。
また、状況によっては、比較的製造がしやすい、断面が長方形のもの（図２（Ｄ））や、長方形の角を面取りしたもの（図２（Ｅ））などの形状であってもよい。
【００２９】
プロジェクションピン２３を配置する場所は、ピン２２の外形線と、プロジェクションピン２３の外形線との最短距離が、メダル１９の直径よりも短くなる場所が好ましく、具体的には、図２（Ｆ）に示すように、
メダル１９の直径＝Ｄ
プロジェクションピン２３の直径＝ｄ1
ピン２２の直径＝ｄ2
プロジェクションピン２３の中心からピン２２の中心までの距離＝Ｒ
としたときには、Ｒ＜Ｄ＋ｄ1／２＋ｄ2／２の関係を満たすように、プロジェクションピン２３を配置する。
【００３０】
この配置関係にすることによって、ピン２２とプロジェクションピン２３との間にメダル１９がはまり込むことがなくなり、必ずメダル１９が浮き上がった状態となり、また、図２（Ｇ）に示すように、Ｒ＜Ｄ＋ｄ2／２の関係を満たすような配置関係にすれば、メダル１９がプロジェクションピン２３の頂点と接するようになり、メダル１９の傾斜がさらに大きくなるので、メダル１９の移動をより促進できる。
【００３１】
一方、ピン２２に衝突するメダル１９に対して、プロジェクションピン２３を有効に作用させるために、プロジェクションピン２３は、図２（Ｈ）に示すように、ピン２２の上方の真上方向を基準（０°）としたときに、その基準の両側に、ピン２２を中心としてθ＝±６０°の範囲（好ましくは、θ＝±４５°の範囲）に設けるとよく、また、その基準からずらして設けると（例えば、θ＝±１０°付近）、左右のいずれかにメダル１９が傾くようになり、ピン２２の両側にメダル１９が振り分けられやすくなるので、より好ましい。
【００３２】
次に、メダル１９の動作について説明する。
図３は、傾斜パネルの一部を示す図であって、図３（Ａ）は、斜視図、図３（Ｂ）（Ｃ）は、断面図である。なお、図３（Ｂ）（Ｃ）は、傾斜台１０ａを覆う透明カバー１０ｂも示している。
図３（Ａ）に示すように、傾斜パネル１０上をメダル１９が落下し、ピン２２に衝突すると、メダル１９は跳ね返る。
衝突時には、図３（Ｂ）に示すように、メダル１９とプロジェクションピン２３とが、面接触ではなく、一点で接する。
これにより、メダル１９と傾斜パネル１０との接地面積が減少し、摩擦抵抗も減少するので、メダル１９の減速を抑えることができ、また、接地面積が減少していることによって、メダル１９のバランスが不安定な状態となり、メダル１９の次への動作（さらに下への落下）を促進させることになる。
そして、メダル１９は、ピン２２に衝突しながら、落下方向を変え、スムーズに落下していく。
【００３３】
一方、図３（Ｃ）に示すように、従来の傾斜パネル（比較例）は、プロジェクションピン２３が設けられていないものであるが、この従来の傾斜パネルでは、メダル１９を連続投入した場合には、ピン２２付近でメダル詰まりが起こってしまった。
【００３４】
このように、本実施例によれば、ピン２２の上方にプロジェクションピン２３を設けたので、ピン２２の上方にメダル１９が停滞することがなくなり、メダル１９同士の重なりや、メダル詰まりを防止できる。
【００３５】
また、プロジェクションピン２３は、メダル１９がピン２２に衝突して跳ね返ったときに、メダル１９の移動を促進させるので、メダル１９がその場に停滞せず、次に落下してきたメダル１９と重なることもない。
【００３６】
さらに、プロジェクションピン２３は、メダル１９と傾斜パネル１０との接地面積を減少させて摩擦抵抗を減少させる半球状の突起であるので、摩擦抵抗が減少することによってメダル１９の減速を最小限に抑えることができ、それによって、メダル１９が素早く移動し、メダル詰まりをより防止できる。
【００３７】
（変形例）
以上説明した実施例に限定されることなく、種々の変形や変更が可能であって、それらも本発明の均等の範囲内である。
（１）メダル遊戯機器は、メダルプッシャー機構１１や、液晶表示部１５などが付属されているものの例で説明したが、傾斜パネル１０と、ピン２２と、プロジェクションピン２３とを備えるようなシンプルなものであってもよい。
（２）パネル部は、傾斜したパネルの例で説明したが、垂直に設けられたパネルであってもよい。
【００３８】
（３）障害物は、ピン２２の例で説明したが、チューリップなどの役物やスタートチャッカーなどであってもよく、また、その役物やスタートチャッカーの上方に、プロジェクションピン２３を設けてもよい。
（４）停滞防止部は、凸形状のプロジェクションピン２３の例で説明したが、連続した凹形状の溝などであってもよい。この場合でも、メダル１９の接地面積を減少させることができるので、本実施例と同様の効果が得られる。
【００３９】
（５）プロジェクションピン２３の材質は、ステンレス鋼の例で説明したが、鉄系や、アルミニウム系、真鍮などの他の金属であってもよく、また、樹脂であってもよい。例えば、透明な樹脂を用いれば、傾斜パネル１０の絵柄が透けて見えるので、プロジェクションピン２３を設けても、メダル遊戯機器のデザイン性を損ねることがない。
【図面の簡単な説明】
【００４０】
【図１】本発明によるメダル遊戯機器の実施例を示す図である。
【図２】プロジェクションピンの詳細を示す図である。
【図３】傾斜パネルの一部を示す図である。
【符号の説明】
【００４１】
１０  傾斜パネル（パネル部）
１０ａ  傾斜台
１０ｂ  透明カバー
１１  メダルプッシャー機構
１１ａ  上段のプッシャー台
１１ｂ  下段のプッシャー台
１２  大当たり払い出し部
１３  小当たり払い出し部
１４  チャッカー
１４ａ  孔
１５  液晶表示部
１６  ランプ
１７  ボーナスゲート
１８  メダル供給切替部
１８ａ  大当たり払い出し経路
１８ｂ  小当たり払い出し経路
１９  メダル
２０  メダルガイド
２１  メダル落し口
２２  ピン（障害物）
２３  プロジェクションピン（停滞防止部）
２３ａ  埋め込み部
２３ｂ  突起部
１００  メダル遊戯機器
【図１】
2006055247.tif 000003
【図２】
2006055247.tif 000004
【図３】
2006055247.tif 000005